(57)【特許請求の範囲】
【請求項１】
側面に複数のスリットを有する、長尺状に成形された弾性体と、
前記スリットを開いて楔形の隙間を形成するように前記弾性体の形状を変形状態で保持する弾性体形状保持手段と、
前記弾性体形状保持手段を支持するスタンドとを備え、
前記弾性体の楔形の隙間にエクステンション用毛束を保持するエクステンション用毛束ハンガー。
【請求項２】
前記弾性体が、密着巻きのコイルばねである請求項１記載のエクステンション用毛束ハンガー。
【請求項３】
前記複数のスリットが、螺旋状に連続して形成されたスリット、又は、前記弾性体の長手方向に対して略直角に形成されたスリットである請求項１記載のエクステンション用毛束ハンガー。
【請求項４】
前記楔形の隙間の開度を調整する調整手段を備えた請求項１〜３のいずれかに記載のエクステンション用毛束ハンガー。
【請求項５】
前記弾性体形状保持手段が前記弾性体の形状を略同一水平面内において保持するものであり、前記弾性体形状保持手段を鉛直軸まわりに回転可能に支持する回転支持手段を前記スタンドに備えた請求項１〜４のいずれかに記載のエクステンション用毛束ハンガー。
【請求項６】
前記弾性体形状保持手段又はスタンドに、エクステンションの施術用器具等を載置するトレイを取り付けてなる請求項１〜５のいずれかに記載のエクステンション用毛束ハンガー。
【発明の詳細な説明】
【技術分野】
【０００１】
本発明は、髪の毛の長さを見た目上伸張するエクステンション用毛束を取り分けて準備しておくためのエクステンション用毛束ハンガーに関わり、更に詳しくは、エクステンションの施術作業性を改善することができるエクステンション用毛束ハンガーに関するものである。
【背景技術】
【０００２】
髪の毛の長さを見た目上伸張する方法として、ウイッグよりも自然な印象を与えること及び髪型のアレンジの自由度が高いこと等の特徴から、自毛の毛束に人毛又は人工毛の毛束を結合させる、いわゆるエクステンションが流行している。エクステンションの施術方法としては、自毛の毛束にエクステンション用毛束を編み込む方法（例えば、特許文献１参照。）、専用アイロンを使用して特殊チップで結合する方法、特殊ボンドにより結合する方法、及び、高分子ポリマー製のエクステンション用毛束を高周波熱処理により結合する方法等がある。
【０００３】
このようなエクステンションの施術は、例えば５０本ないし１００本程度の人毛又は人工毛の毛髪を束ねたエクステンション用毛束の３０ないし５０本程度を自毛の毛束に結合させる必要があるため、多数のエクステンション用毛束を取り分けて準備しておく必要がある。従来、このようなエクステンション用毛束の準備は、前記施術に必要な多数のエクステンション用毛束をトレイ上に取り分けて載置しておくこと等により行われてきた。
【特許文献１】特開２００２−２０９２２号公報（第２頁、図１―３）
【発明の開示】
【発明が解決しようとする課題】
【０００４】
以上のような従来のエクステンション用毛束の準備方法では、大きなトレイが必要となるため省スペース上好ましくないこと、前記施術中にエクステンション用毛束をトレイから取り出しにくいこと、及び、取り分けたエクステンション用毛束がエアコン等の気流により絡み合う場合があること、等の問題点があった。
【０００５】
本発明は、前記のような問題点を解決するためになされたものであり、エクステンションの施術作業性を改善することができ、効率的にエクステンションの施術を行うことができるエクステンション用毛束ハンガーを提案するものである。
【課題を解決するための手段】
【０００６】
本発明に係るエクステンション用毛束ハンガーは、前記課題解決のために、側面に複数のスリットを有する、長尺状に成形された弾性体と、前記スリットを開いて楔形の隙間を形成するように前記弾性体の形状を変形状態で保持する弾性体形状保持手段と、前記弾性体形状保持手段を支持するスタンドとを備え、前記弾性体の楔形の隙間にエクステンション用毛束を保持するものである。
【０００７】
また、前記弾性体が、密着巻きのコイルばねであると好ましい。
【０００８】
さらに、前記複数のスリットが、螺旋状に連続して形成されたスリット、又は、前記弾性体の長手方向に対して略直角に形成されたスリットであってもよい。
【０００９】
さらにまた、前記楔形の隙間の開度を調整する調整手段を備えると好ましい。
【００１０】
また、前記弾性体形状保持手段が前記弾性体の形状を略同一水平面内において保持するものであり、前記弾性体形状保持手段を鉛直軸まわりに回転可能に支持する回転支持手段を備えると好ましい。
【００１１】
さらに、前記弾性体形状保持手段又はスタンドに、エクステンションの施術用器具等を載置するトレイを取り付けてなると好ましい。
【発明の効果】
【００１２】
請求項１〜３に係る発明によれば、側面に複数のスリットを有する、長尺状に成形された弾性体と、前記スリットを開いて楔形の隙間を形成するように前記弾性体の形状を変形状態で保持する弾性体形状保持手段とを備え、前記楔形の隙間にエクステンション用毛束を保持するので、前記楔形の隙間に多数のエクステンション用毛束を容易かつ確実に保持しておくことができ、これらエクステンション用毛束を迅速に取り出すことができるため、エクステンションの施術作業性を改善することができる。
【００１３】
また、請求項４に係る発明によれば、前記楔形の隙間の開度を調整する調整手段を備えたので、エクステンション用毛束の毛量等に応じて前記楔形の隙間の開度を調整することができるため、エクステンション用毛束をさらに確実に保持することができる。
【００１４】
さらに、請求項５に係る発明によれば、前記弾性体形状保持手段が前記弾性体の形状を略同一水平面内において保持するものであり、前記弾性体形状保持手段を鉛直軸まわりに回転可能に支持する回転支持手段を前記スタンドに備えたので、エクステンションの施術者が、前記弾性体を回転させて、使用したいエクステンション用毛束を自己に近づけて取り出すことができるため、エクステンション用毛束の取り出しがさらに容易になる。
【００１５】
さらにまた、請求項６に係る発明によれば、前記弾性体形状保持手段又はスタンドにトレイを取り付けてなるので、このトレイにエクステンションの施術用器具等を載置しておき、必要時に使用することができるため、エクステンションの施術作業性をさらに改善することができる。
【発明を実施するための最良の形態】
【００１６】
次に本発明の実施の形態を添付図面に基づき詳細に説明する。図１は、本発明の実施の形態に係るエクステンション用毛束ハンガーを示す斜視図である。長尺状に成形された弾性体である密着巻きのコイルばね１は、円形の弾性体形状保持手段２の円環状の中間ガイド部２ａ，２ａ・・・内に挿通され、該コイルばね１の両端末は、円環状の端末ガイド部２ｂに収容されている。このようにして、長尺状に成形された弾性体である密着巻きのコイルばね１は、略同一水平面内において弾性体形状保持手段２により変形状態で形状を保持され、多数の楔形の隙間１ｂ，１ｂ・・・が形成されている。これら多数の楔形の隙間１ｂ，１ｂ・・・を利用して、多数のエクステンション用毛束Ｈ，Ｈ・・・を、乾いている毛束及び濡れている毛束共に、容易かつ確実に保持しておくことができる（なお、図１においては、説明の都合上、エクステンション用毛束Ｈを３本のみ保持した状態を示している）。したがって、前記楔形の隙間１ｂ，１ｂ・・・に保持されたエクステンション用毛束Ｈ，Ｈ・・・を、迅速に取り出すことができるため、エクステンションの施術作業性を改善することができる。
【００１７】
また、弾性体形状保持手段２は、スタンド３により支持されており、スタンド３の上部パイプ３ａと下部パイプ３ｂ間には、回転支持手段３ｃ、例えば単式スラスト玉軸受等のスラストベアリングが配設されているため、コイルばね１及び弾性体形状保持手段２は、鉛直軸まわりに自由に回転可能に（図中矢印Ａ）構成されている。したがって、エクステンションの施術者が、コイルばね１を回転させて、使用したいエクステンション用毛束Ｈを自己に近づけて取り出すことができ、エクステンション用毛束の取り出しがさらに容易になる。
【００１８】
また、スタンド３下部には、キャスター３ｄ，３ｄ・・・が配設されているため、エクステンション用毛束ハンガー全体を容易に移動させることができる。さらに、弾性体形状保持手段２には、例えばアクリル又はガラス等からなるトレイ４が取り付けられており、このトレイ４にエクステンションの施術用器具等を載置しておき、必要時に使用することにより、エクステンションの施術作業性を改善することができる。さらにまた、弾性体形状保持手段２及びスタンド３には、フック５，５・・・が取り付けられているため、これらフック５，５・・・にエクステンションの施術用器具等を掛着しておき、必要時に使用することができる。なお、前記トレイ４はスタンド３に取り付けてもよい。
【００１９】
図１の構成の前記説明においては、円環状の中間ガイド部２ａ，２ａ・・・及び円環状の端末ガイド部２ｂ並びに前記ガイド部を保持する水平の円環部を円形の弾性体形状保持手段として、該弾性体形状保持手段を支持する部材全体をスタンド３として説明している。しかし、弾性体形状保持手段及び該弾性体形状保持手段を支持するスタンドは、このような構成に限定されるものではない。すなわち、弾性体形状保持手段２は、長尺状に成形された弾性体を変形状態で形状を保持して、多数の楔形の隙間１ｂ，１ｂ・・・を形成するものであればよく、スタンド３は、該弾性体形状保持手段を直接又は間接に支持して所定の位置に前記弾性体形状保持手段を保持できるものであればよい。
【００２０】
図２は、長尺状に成形された弾性体である密着巻きのコイルばね１の構成を示す説明図である。コイルばね１は、密着巻きであるため、その側面には複数の密着したスリット１ａ，１ａ・・・がある。また、コイルばね１は、錆防止のためステンレス鋼線（例えば、材質はＳＵＳ３０４ＷＰ−Ｂ。素線径は約３ｍｍ程度。）により、コイル外径が約３０ｍｍ程度となるように成形されている。
【００２１】
図３は、側面に複数のスリット１ａ，１ａ・・・を有する、長尺状に成形された弾性体である密着巻きのコイルばね１を、円形の弾性体形状保持手段２により保持した状態の説明図である。密着巻きのコイルばね１は、円形の弾性体形状保持手段２により形状を保持され、外側のスリット１ａ，１ａ・・・が開かれて、楔形の隙間１ｂ，１ｂ・・・が形成されている。このように、側面に複数のスリット１ａ，１ａ・・・を有する、長尺状に成形された弾性体である密着巻きのコイルばね１を成形状態（例えば図２の状態。）から曲げた変形状態（例えば図３の状態。）として、弾性体形状保持手段２により変形状態で形状を保持することにより、多数の楔形の隙間１ｂ，１ｂ・・・を容易に形成することができる。したがって、前記のとおり、多数の楔形の隙間１ｂ，１ｂ・・・を利用して、多数のエクステンション用毛束を容易かつ確実に保持しておくことができる。
【００２２】
例えば、図１の例においては、弾性体形状保持手段２により円形の変形状態に形状を保持された密着巻きのコイルばね１の外径（図中Ｄ）は５０ｃｍ程度であり、多数の楔形の隙間１ｂ，１ｂ・・・を利用して、隣り合うエクステンション用毛束間の間隔を３ｃｍ程度空けながら、エクステンションの施術に必要な５０本程度のエクステンション用毛束を容易かつ確実に保持しておくことができる。また、隣り合うエクステンション用毛束間の間隔を狭めれば、さらに多くのエクステンション用毛束を保持することができる。このように、本発明の実施の形態に係るエクステンション用毛束ハンガーは、コンパクトな構成で、多数のエクステンション用毛束を準備しておくことができるため、省スペース上も好ましいものである。なお、前記楔形の隙間１ｂ，１ｂ・・・の開度は、コイルばね１のコイル外形及び弾性体形状保持手段２により円形の変形状態に形状を保持された状態での外径（図１中Ｄ）等により決定される。
【００２３】
図４は、長尺状に成形された弾性体である密着巻きのコイルばね１に形成された楔形の隙間１ｂ，１ｂ・・・の開度を調整する調整手段の構成例を示す説明用部分断面図である。コイルばね１の端末を収容する弾性体形状保持手段２の円環状の端末ガイド部２ｂには、コイルばね１の両端末１ｃ，１ｃが収容され、端末ガイド部２ｂの径方向のねじ孔６，６に螺合するボルト７，７により固定されている。ボルト７，７のいずれか一方を緩めて、コイルばね１の一端の固定を解除してコイルばね１を伸ばす方向（図中矢印Ｂ）に移動させた後にボルト７により固定すると、楔形の隙間１ｂ，１ｂ・・・の開度が大きくなる。この状態からボルト７，７のいずれか一方を緩めて、コイルばね１の一端の固定を解除してコイルばね１を縮める方向（図中矢印Ｃ）に移動させた後にボルト７により固定すると、楔形の隙間１ｂ，１ｂ・・・の開度が小さくなる。このようにして、前記楔形の隙間１ｂ，１ｂ・・・の開度を簡単に調整することができる。したがって、エクステンション用毛束の毛量等に応じて、前記楔形の隙間１ｂ，１ｂ・・・の開度を調整することにより、エクステンション用毛束をさらに確実に保持することができる。
【００２４】
図５は、長尺状に成形された弾性体である密着巻きのコイルばね１に形成された楔形の隙間１ｂ，１ｂ・・・の開度を調整する調整手段の別の構成例を示す説明図であり、図５（ａ）は部分断面図、図５（ｂ）は移動部材とスライドナットとの関係を示す斜視図である。コイルばね１の端末を収容する弾性体形状保持手段２の円環状の端末ガイド部２ｂには、コイルばね１の両端１ｃ，１ｃが収容され、コイルばね１の一端は図４と同様にボルト７により固定されている。コイルばね１の他端には、移動部材８が固定されており、移動部材８の斜面８ａ，８ａにはスライドナット９の斜面９ａ，９ａが当接し、移動部材８の凹部８ｂにスライドナット９の凸部９ｂが係合している。この状態は、端末ガイド部２ｂのねじ孔６及びスライドナット９のねじ孔９ｃに螺合するボルト１０により保持されている。また、スライドナット９のねじ孔９ｃを貫通したボルト１０のねじ部先端は、移動部材８の凹部８ｂに収容される。
【００２５】
図５（ａ）の状態において、ボルト１０を回してボルト１０とスライドナット９との間隔を変化させると（図中矢印Ｅ）、スライドナット９の斜面９ａ，９ａと移動部材８の斜面８ａ，８ａとの当接位置が変化する（移動部材８に対してスライドナット９が図中Ｆのようにスライドする。）。これにより、移動部材８及び移動部材８に固定されたコイルばね１の端末１ｃは、ボルト７により端末ガイド部２ｂに固定されているコイルばね１の端末１ｃに対して、移動することになる（図中矢印Ｇ）。したがって、ボルト１０を回してコイルばね１を伸ばす方向に移動させれば、楔形の隙間１ｂ，１ｂ・・・の開度を大きくすることができる。この状態からボルト１０を回してコイルばね１を縮める方向に移動させれば、楔形の隙間１ｂ，１ｂ・・・の開度を小さくすることができる。このようにして、前記楔形の隙間１ｂ，１ｂ・・・の開度を簡単に調整することができると共に前記開度の微調整が可能となる。
【００２６】
図６は、側面に複数のスリットを有する、長尺状に成形された弾性体の別の構成を示す説明図であり、前記複数のスリットが螺旋状に連続して形成されたスリットである場合の例を示している。また、図６（ａ）は成形状態を、図６（ｂ）は弾性体形状保持手段２により成形状態から曲げた変形状態を示している。このような構成によっても、側面に多数のスリット１１ａ，１１ａ・・・を有する、長尺状に成形された弾性体１１を成形状態（例えば図６（ａ）の状態。）から曲げた変形状態（例えば図６（ｂ）の状態。）として、弾性体形状保持手段２により変形状態で形状を保持することにより、多数の楔形の隙間１１ｂ，１１ｂ・・・を容易に形成することができる。したがって、多数の楔形の隙間１１ｂ，１１ｂ・・・を利用して、多数のエクステンション用毛束を容易かつ確実に保持しておくことができる。
【００２７】
図７は、側面に複数のスリットを有する、長尺状に成形された弾性体のさらに別の構成を示す説明図であり、前記複数のスリットが前記弾性体の長手方向に対して略直角に形成されたスリットである場合の例を示している。また、図７（ａ）は成形状態を、図７（ｂ）は弾性体形状保持手段２により成形状態から曲げた変形状態を示している。このような構成によっても、側面に多数のスリット１２ａ，１２ａ・・・を有する、長尺状に成形された弾性体１２を成形状態（例えば図７（ａ）の状態。）から曲げた変形状態（例えば図７（ｂ）の状態。）として、弾性体形状保持手段２により変形状態で形状を保持することにより、多数の楔形の隙間１２ｂ，１２ｂ・・・を容易に形成することができる。したがって、多数の楔形の隙間１２ｂ，１２ｂ・・・を利用して、多数のエクステンション用毛束を容易かつ確実に保持しておくことができる。
【００２８】
なお、図６及び図７の弾性体１１及び１２としては、例えば、ニトリルゴム若しくはウレタンゴム等のゴム、又は、塩化ビニル若しくはポリカーボネート等の非結晶性プラスチック等の高分子材料を用いることができる。
【００２９】
以上の説明においては、円形の弾性体形状保持手段２により、密着巻きのコイルばね１等の長尺状に成形された弾性体を円形に変形させて曲げ変形状態で形状を保持することにより、多数の楔形の隙間１ｂ，１ｂ・・・等を形成する場合を示したが、弾性体形状保持手段により保持する前記弾性体の形状は円形に限定されるものではなく、楕円形、半円形、弧状等、長尺状に成形された弾性体を曲げ変形させて、楔形の隙間を形成できる形状であればよい。
【００３０】
図８は、弾性体形状保持手段による弾性体の変形保持状態の別の例を示す説明図であり、図８（ａ）は変形状態の平面図を、図８（ｂ）は変形状態の正面図を示している。側面に複数のスリットを有する、長尺状に成形された弾性体として、前記複数のスリットが前記弾性体の長手方向に対して略直角に形成されたスリット１２ａ，１２ａ・・・である場合（成形状態が図７（ａ）の場合）において、前記スリット１２ａ，１２ａ・・・を開いて楔形の隙間１２ｂ，１２ｂ・・・を形成するように前記弾性体の形状を変形状態で保持する弾性体形状保持手段１３による変形が、曲げ変形ではなく、弾性体の両端を引っ張ることによる伸び変形である場合を示している。長尺状に成形された弾性体１２の長手方向に対して略直角に形成されたスリット１２ａ，１２ａ・・・は、弾性体１２の両端を引っ張ることにより、楔形の隙間１２ｂ，１２ｂ・・・を容易に形成することができる。したがって、多数の楔形の隙間１２ｂ，１２ｂ・・・を利用して、多数のエクステンション用毛束を容易かつ確実に保持しておくことができる。
【００３１】
なお、弾性体１２の両端を引っ張って弾性体１２の形状を変形状態で保持する弾性体形状保持手段１３としては、図４と同様の構成、すなわち、図８に示すようにボルト７，７により端末ガイド部１３ｂ，１３ｂ内の弾性体１２の両端を固定する構成を採用することができる。したがって、ボルト７，７のいずれか一方を緩めて、弾性体１２の一端の固定を解除して弾性体１２を伸ばす方向（図中矢印Ｂ）に移動させた後にボルト７により固定すると、楔形の隙間１２ｂ，１２ｂ・・・の開度が大きくなる。この状態からボルト７，７のいずれか一方を緩めて、弾性体１２の一端の固定を解除して弾性体１２を縮める方向（図中矢印Ｃ）に移動させた後にボルト７により固定すると、楔形の隙間１２ｂ，１２ｂ・・・の開度が小さくなる。このようにして、前記楔形の隙間１２ｂ，１２ｂ・・・の開度を簡単に調整することができる調整手段を構成することができる。
【００３２】
以上の説明においては、長尺状に成形された弾性体の成形状態が直線状である場合を示したが（図２、図６（ａ）及び図７（ａ）参照。）、長尺状に成形された弾性体の成形状態は必ずしも直線状である必要はなく、例えば所定の曲率半径である円弧状等、曲線状に成形したものであってもよい。曲線状に成形したものを弾性体形状保持手段により変形させることによっても、前記のような楔形の隙間を形成することができるためである。したがって、本発明における「長尺状に成形された弾性体」とは、直線状又は曲線状の長い形状をもつ弾性体を意味するものである。また、長尺状に成形された弾性体の断面形状は円形又は円環形に限定されるものではなく、矩形等の断面形状を採用することもできる。
【図面の簡単な説明】
【００３３】
【図１】本発明の実施の形態に係るエクステンション用毛束ハンガーを示す斜視図である。
【図２】長尺状に成形された弾性体である密着巻きのコイルばねの構成を示す説明図である。
【図３】側面に複数のスリットを有する、長尺状に成形された弾性体である密着巻きのコイルばねを、弾性体形状保持手段により保持した状態の説明図である。
【図４】長尺状に成形された弾性体である密着巻きのコイルばねに形成された楔形の隙間の開度を調整する調整手段の構成例を示す説明用部分断面図である。
【図５】長尺状に成形された弾性体である密着巻きのコイルばねに形成された楔形の隙間の開度を調整する調整手段の別の構成例を示す説明図であり、（ａ）は部分断面図、（ｂ）は移動部材とスライドナットとの関係を示す斜視図である。
【図６】側面に複数のスリットを有する、長尺状に成形された弾性体の別の構成を示す説明図であり、（ａ）は成形状態を、（ｂ）は変形状態を示している。
【図７】側面に複数のスリットを有する、長尺状に成形された弾性体のさらに別の構成を示す説明図であり、（ａ）は成形状態を、（ｂ）は変形状態を示している。
【図８】弾性体形状保持手段による弾性体の変形保持状態の別の例を示す説明図であり、（ａ）は変形状態の平面図を、（ｂ）は変形状態の正面図を示している。
【符号の説明】
【００３４】
Ｈ    エクステンション用毛束
１    長尺状に成形された弾性体である密着巻きのコイルばね
１ａ  スリット
１ｂ  楔形の隙間
２    弾性体形状保持手段
２ａ  中間ガイド部
２ｂ  端末ガイド部
３    スタンド
３ａ  上部パイプ
３ｂ  下部パイプ
３ｃ  回転支持手段
３ｄ  キャスター
４    トレイ
５    フック
６    ねじ孔
７    ボルト
８    移動部材
８ａ  斜面
８ｂ  凹部
９    スライドナット
９ａ  斜面
９ｂ  凸部
９ｃ  ねじ孔
１０    ボルト
１１    長尺状に成形された弾性体
１１ａ  螺旋状に連続して形成されたスリット
１１ｂ  楔形の隙間
１２    長尺状に成形された弾性体
１２ａ  弾性体１２の長手方向に対して略直角に形成されたスリット
１２ｂ  楔形の隙間
１３    弾性体形状保持手段
１３ｂ  端末ガイド部
【要約】
【課題】  効率的にエクステンションの施術を行うことができるエクステンション用毛束ハンガーを得る。
【解決手段】  側面に複数のスリット１ａ，１ａ・・・を有する、長尺状に成形された弾性体である密着巻きのコイルばね１と、スリット１ａ，１ａ・・・を開いて楔形の隙間１ｂ，１ｂを形成するようにコイルばね１の形状を変形状態で保持する弾性体形状保持手段２と、弾性体形状保持手段２を支持するスタンド３とを備え、コイルばね１の楔形の隙間１ｂ，１ｂ・・・にエクステンション用毛束を保持する。多数のエクステンション用毛束を容易かつ確実に保持しておくことができる。
【選択図】        図１
【図１】
0003551968.tif 000002
【図２】
0003551968.tif 000003
【図３】
0003551968.tif 000004
【図４】
0003551968.tif 000005
【図５】
0003551968.tif 000006
【図６】
0003551968.tif 000007
【図７】
0003551968.tif 000008
【図８】
0003551968.tif 000009